(57)【要約】  【課題】収納食品の種類に応じて適切な貯蔵環境にするとともに、各貯蔵室の使い勝手を同時に向上した冷蔵庫を提供する。  【解決手段】冷蔵庫本体３０を上下方向の略全高で左右に区画した一方の区画を、３つの貯蔵室３３、３４、３５で構成し、それぞれが引出し扉３３ａ、３４ａ、３５ａを備え、冷蔵庫本体３０の中央付近に製氷室３３を配置することで、収納物を目的にあった適切な区画して収納することができるとともに、使用頻度の高い製氷室３３から氷を取り出す動作を楽な姿勢で行えるため、使い勝手の良さを提供することができる。【選択図】図３
2006234223.tif 000002
【特許請求の範囲】
【請求項１】
冷蔵庫本体は、複数の貯蔵室と、前記複数の貯蔵室のそれぞれに前面開口部を塞ぐ扉とを備え、前記冷蔵庫本体の上下方向の略全高で左右に区分された左区画と右区画とを有し、前記左区画と右区画のうちいずれか一方の区画を構成する各貯蔵室の前面開口部を塞ぐ扉を、３つ以上の引出し扉で構成するとともに、前記引出し扉のうち冷蔵庫本体の中央付近に位置する引出し扉は他の引出し扉よりも小さく構成されることを特徴とする冷蔵庫。
【請求項２】
冷蔵庫本体の中央付近に位置し、他の引出し扉よりも小さく構成される引出し扉を有する貯蔵室を製氷室とすることを特徴とする請求項１に記載の冷蔵庫。
【請求項３】
前記左区画と右区画のうち、複数の引出し扉を備えた区画は、もう一方の区画よりも幅方向で小さいことを特徴とする請求項１または２に記載の冷蔵庫。
【請求項４】
前記複数の引出し扉を備えた区画を、前記冷蔵庫本体に向かって左側に構成することを特徴とする請求項１から３のいずれか一項に記載の冷蔵庫。
【請求項５】
前記複数の引出し扉を備えた区画は、前記製氷室の上方を冷蔵温度帯の貯蔵室とし、前記製氷室の下方を冷凍温度帯の貯蔵室としたことを特徴とする請求項１から４のいずれか一項に記載の冷蔵庫。
【請求項６】
前記冷蔵温度帯の貯蔵室の側方に隣接する区画に、前方開口部を塞ぐ回転扉を備えた冷蔵温度帯の冷蔵室を配置し、前記冷蔵温度帯の貯蔵室と前記冷蔵室との境界面を区画壁なしに連通したことを特徴とする請求項５に記載の冷蔵庫。
【請求項７】
前記冷凍温度帯の貯蔵室の側方に隣接する区画に、前方開口を塞ぐ引出し扉を備えた冷凍温度帯の冷凍室を配置し、前記冷凍温度帯の貯蔵室と、その側方に設けた冷凍室は高さを違えて配置していることを特徴とする請求項５または６に記載の冷蔵庫。
【発明の詳細な説明】
【技術分野】
【０００１】
本発明は、冷蔵庫の各貯蔵室の配置及び扉に関するものである。
【背景技術】
【０００２】
従来、左右に分割された貯蔵室を区画している冷蔵庫において、特許文献１に参照するように、片側が上下引出し扉で構成されているものが提案されている。
【０００３】
図６、図７は特許文献１に記載された従来の冷蔵庫を示すものである。図６は従来の冷蔵庫の正面図、図７は従来の冷蔵庫の扉を開けた状態の斜視図である。
【０００４】
図６、図７に示すように２は冷蔵庫本体１内を上下に区画する断熱区画壁であり、上部に上部区画３、下部に下部区画４を形成している。５は上部区画３内を左右に区画する第１の区画壁であり、６は下部区画４内を左右に区画する第２の区画壁である。７は第１の区画壁５により一側に形成された冷蔵室、８は冷蔵室７の下部に区画壁９を挟んで形成された野菜室である。１０は第１の区画壁５により他側に形成されたボトル収納室である。１１は第２の区画壁６により一側に形成された冷凍室、１２は他側に形成された製氷室である。
【０００５】
冷蔵室７の開口面には開閉自在に取り付けられたヒンジ開閉式扉１３が設けられている。野菜室８は開口面に開閉自在に取り付けられた引出し式扉１４を設けており、室内側の収納容器（図示せず）を一体に引き出せるように構成されている。
【０００６】
ボトル収納室１０は開口面に開閉自在に取り付けられた引出し式扉１６を設けており、室内側の収納容器１７、１８、１９、２０を一体に引き出せるように構成されている。また、冷凍室１１は開口面に開閉自在に取り付けられた引出し式扉２１を設けており、室内側の収納容器（図示せず）を一体に引き出せるよう構成されている。製氷室１２は開口面に開閉自在に取り付けられた引出し式扉２２を設けており、室内側の収納容器（図示せず）を一体に引き出せるように構成されている。
【特許文献１】特開２００１−２６３９１３号公報
【発明の開示】
【発明が解決しようとする課題】
【０００７】
しかしながら、上記従来の構成では、上方に位置するボトル収納を目的にしたボトル収納室の上下方向の高さに占める割合が大きく、下方に位置する製氷室の位置が低くなるため、製氷室から生成した氷を取り出す際に、腰をかがめたり、しゃがんだりする必要があるという課題を有していた。
【０００８】
本発明は、上記従来の課題を解決するもので、収納食品の種類に応じて適切な貯蔵環境を提供するとともに、各貯蔵室の使い勝手を同時に改善した冷蔵庫を提供することを目的とする。
【課題を解決するための手段】
【０００９】
冷蔵庫本体は、冷蔵庫本体は、複数の貯蔵室と、前記複数の貯蔵室のそれぞれに前面開口部を塞ぐ扉とを備え、前記冷蔵庫本体の上下方向の略全高で左右に区分された左区画と右区画とを有し、前記左区画と右区画のうちいずれか一方の区画を構成する各貯蔵室の前面開口部を塞ぐ扉を、３つ以上の引出し扉で構成するとともに、前記引出し扉のうち冷蔵庫本体の中央付近に位置する引出し扉は他の引出し扉よりも小さく構成したものである。
【００１０】
これによって、奥のものまで取り出しやすく、使いやすい引出し扉を冷蔵庫本体の片側区画に構成し、上方には目線に位置する引出し扉と、中央付近には小物収納または製氷機能を取り入れた製氷室を配置することが可能となる。
【発明の効果】
【００１１】
本発明の冷蔵庫は、冷蔵庫本体の片側区画を全て引出し扉で構成することで、冷蔵温度帯の引出しはもちろんのこと冷凍温度帯の引出しにも比較的背の高いペットボトル、冷凍食品を収納しやすくし、また奥に収納している収納物をも手前に簡単に引き出すことができるため、収納物が取り出しやすい構造にすることができる。
【００１２】
また、扉を引き出した時に左右両側から収納物を取り出せるという利点も有する。
【００１３】
また、冷蔵庫本体の中央付近に小さい貯蔵室を配置し、前方開口を引出し扉で構成させることで、ビン類などの小物収納区画として利用したり、製氷室として利用すれば夏場に使用頻度が高い氷を、腰をかがめることなく立ったままの姿勢で楽に取り出しができるという使い勝手のよさを提供することができる。さらに他の部屋と独立させることで、冷凍収納物と氷の使い分けができ、臭い移りを防止したキレイな氷を提供するとともに、必要に応じた扉開閉による温度上昇の低減が図れ、省エネにも繋がる。
【発明を実施するための最良の形態】
【００１４】
請求項１に記載の発明は、冷蔵庫本体は、複数の貯蔵室と、前記複数の貯蔵室のそれぞれに前面開口部を塞ぐ扉とを備え、前記冷蔵庫本体の上下方向の略全高で左右に区分された左区画と右区画とを有し、前記左区画と右区画のうちいずれか一方の区画を構成する各貯蔵室の前面開口部を塞ぐ扉を、３つ以上の引出し扉で構成するとともに、前記引出し扉のうち冷蔵庫本体の中央付近に位置する引出し扉は他の引出し扉よりも小さく構成されるものである。これにより、使いやすい引出し扉を片側区画に集約し、使用頻度の高いペットボトルやビン類を区画収納することができ、楽な出し入れが実現できるとともに、収納物を奥まで収納しても引き出せて簡単に取り出すことができる。また、冷蔵庫の中央付近に小物室を配置し、使用頻度の高いドレッシングなどの中ビン類を、腰をかがめることなく楽な姿勢で取り出すことができる。
【００１５】
請求項２に記載の発明は、請求項１に記載の発明において、冷蔵庫本体の中央付近に位置し、他の引出し扉よりも小さく構成される引出し扉を有する貯蔵室を製氷室とするものである。
【００１６】
これにより、製氷室を冷蔵庫本体の中央付近に位置させることで、腰をかがめることなく楽な姿勢で取り出すことができとともに、他の部屋と独立させることで、冷凍収納物と氷の使い分けができ、臭い移りを防止したキレイな氷を提供するとともに、必要に応じた扉開閉による温度上昇の低減が図れ、省エネにも繋がる。
【００１７】
請求項３に記載の発明は、請求項１または２に記載の発明において、前記左区画と右区画のうち、複数の引出し扉を備えた区画は、もう一方の区画よりも幅方向で小さいものである。これにより、使用頻度及び収納物による適切な寸法に応じた貯蔵室のレイアウトと使いやすい扉の開閉状態の組み合わせが実現でき、冷蔵庫全体としての使い勝手が高まる。また、引き出した時に左右両側から収納物を容易に出し入れできる利便性も有する。
【００１８】
請求項４に記載の発明は、請求項１から３のいずれか一項に記載の発明において、前記複数の引出し扉を備えた区画を、前記冷蔵庫本体に向かって左側に構成するものである。これにより、右利きの多い環境の中で、左手で引出しを手前に引出すと同時に右手で収納物を取ることができることから、出し入れ動作がスムーズに行える。また、キッチン環境から冷蔵庫の左側に壁（住宅そのものの壁やキッチンのシンク台の壁等）が存在するケースが高い環境の中でも、引出し扉を左側の壁に隣接させる構成になっているため、壁による使い勝手の最小限に抑えることが可能となる。
【００１９】
請求項５に記載の発明は、請求項１から４のいずれか一項に記載の発明において、前記複数の引出し扉を備えた区画は、前記製氷室の上方を冷蔵温度帯の貯蔵室とし、前記製氷室の下方を冷凍温度帯の貯蔵室としたものである。これにより、取り出しのために使用頻度の高いペットボトルやビン類を収納する冷蔵室温度帯の貯蔵室を使いやすい目線の高さに位置させ、逆に比較的使用頻度の低い冷凍温度帯の貯蔵室を下部に位置させることで、冷蔵庫全体の使い勝手のバランスがとれ、最適な貯蔵室のレイアウト配置が可能となる。
【００２０】
請求項６に記載の発明は、請求項５に記載の発明において、前記冷蔵温度帯の貯蔵室の側方に隣接する区画に、前方開口部を塞ぐ回転扉を備えた冷蔵温度帯の冷蔵室を配置し、前記冷蔵温度帯の貯蔵室と前記冷蔵室との境界面を区画壁なしに連通したものである。これにより、隣接する貯蔵室を同じ温度帯の環境にすることで、その境界面の区画壁をなくすことができ、収納容量を増大させると同時に、扉を開けたときの見た目の広々感を提供することができる。引出し扉にはペットボトルやビン類、回転扉には食品類といったように目的にあった区分収納が可能となる。さらに、区分収納による使い分けができ、必要に応じた扉開閉による温度上昇の低減が図れ、省エネにも繋がる。
【００２１】
請求項７に記載の発明は、請求項５または６に記載の発明において、前記冷凍温度帯の貯蔵室の側方に隣接する区画に、前方開口を塞ぐ引出し扉を備えた冷凍温度帯の冷凍室を配置し、前記冷凍温度帯の貯蔵室と、その側方に設けた冷凍室は高さを違えて配置しているものである。これにより、冷凍室を２つの引出し扉を背の高くて幅が狭い区画と低くて幅が広い区画とに構成することができ、ペットボトルやアイスクリーム等が収納できる区画と、冷凍食品や使い残し等を長期間冷凍する区画に分割するといった区分収納が可能となる。さらに、区分収納による使い分けができ、必要に応じた扉開閉による温度上昇の低減が図れ、省エネにも繋がる。
【００２２】
以下、本発明による冷蔵庫の実施の形態について、図面を参照しながら説明する。なお、この実施の形態によってこの発明が限定されるものではない。
【００２３】
（実施の形態１）
以下、本発明の実施の形態１を図１から図４に基づいて説明する。図１は本発明の実施の形態１における冷蔵庫の正面図、図２は同実施の形態における冷蔵庫の左区画の扉を開けた状態の冷蔵庫の斜視図、図３は同実施の形態における冷蔵庫の右区画の扉を開けた状態の冷蔵庫の斜視図、図４は同実施の形態における冷蔵庫の扉を除いた断熱箱体の正面図である。
【００２４】
図１から図４に示すように、３０は冷蔵庫本体であり、冷蔵庫本体３０の貯蔵室側を構成する断熱箱体３０ａは、上下方向の全高で左右に分断された左区画３１と、右区画３２に区画されている。左区画３１は中央付近に氷を生成、貯蔵する製氷室３３が配置され、製氷室３３の上方には冷蔵温度帯の冷蔵スライド室３４を、製氷室３３の下方には冷凍温度帯の冷凍スライド室３５が配置されている。冷蔵スライド室３４と製氷室３３とは、断熱された区画壁３６を有し、区画分断されていて、製氷室３３と冷凍スライド室３５とは区画壁３７により、区画分断されている。ここで、製氷室３３は冷蔵スライド室３４及び冷凍スライド室３５よりも高さ方向で小さくコンパクトに構成されている。
【００２５】
一方、右区画３２には、上から冷蔵室４０、野菜室４１、冷凍室４２が配置されている。冷蔵室４０と野菜室４１とは、区画壁４３により区画され、野菜室４１と冷凍室４２とは、断熱された区画壁４４により区画されている。また、製氷室３３及び冷凍スライド室３５と右区画３２とは区画壁４５により区画されている。なお、区画壁３６及び区画壁４３は分断することなく一体で構成されていても構わなく、このときは冷蔵スライド室３４と冷蔵室４０の下端は高さ方向で同一線上に位置することになる。
【００２６】
冷蔵スライド室３４は、その前面開口面に開閉自在に取り付けられた引出し扉３４ａを設けていて、大小のペットボトルやパックタイプの飲料、調味量などの液状物容器、その他小物や卵など、従来冷蔵室の扉棚に収納されていた収納物を主に貯蔵する室としており、室内側の複数の収納容器を一体で引き出せるよう構成している。また、製氷室３３は前面開口面に開閉自在に取り付けられた引出し扉３３ａを設けており、製氷装置（図示せず）によって生成された氷を貯蔵する室としており、室内側の収納容器を一体で引き出せるよう構成されている。また、冷凍スライド室３５は前面開口面に開閉自在に取り付けられた引出し扉３５ａを設けており、室内側の収納容器を一体に引き出せるよう構成されている。
【００２７】
冷蔵室４０の前面開口面には開閉自在に取り付けられた回転扉４０ａが設けられていて、ヒンジ部（図示せず）は、冷蔵スライド室３４の反対側を支点に冷蔵庫本体３０の天井部と区画壁４３に設置された上下２点で支持され、冷蔵スライド室３４側から回転して開閉自在に動作するよう構成されている。また、回転扉４０ａには、冷蔵スライド室３４の引出し扉３４ａとの空間５５、すなわち、回転扉４０ａの右端部と引出し扉３４ａの左端部との空間５５を室内の冷気が洩れないようシールするためにシール部材（図示せず）を取り付けている。
【００２８】
野菜室４１は前面開口面に開閉自在に取り付けられた引出し扉４１ａを設けており、室内側の収納容器４１ｂを一体に引き出せるよう構成されている。冷凍室４２は前面開口面に開閉自在に取り付けられた引出し扉４２ａを設けており、室内側の収納容器４２ｂを一体に引き出せるよう構成されている。
【００２９】
冷蔵スライド室３４と冷蔵室４０は違った食品を収納するための区画であるが、引出し扉３４ａを摺動させるレール５０を冷蔵庫本体３０の断熱壁５１の上下２ヶ所にて固定し、引出し扉３４ａと連結固定され、引出し扉３４ａを前後に開閉することができるよう備えられていることで、冷蔵スライド室３４と冷蔵室４０とは境界面に区画壁が存在しない構成で配置されている。また、冷凍室４２は、冷凍スライド室３５の側方に位置し、区画壁４５を介して隣接する区画に設けられている。
【００３０】
冷蔵室４０は、内部に収納物を載置する複数の棚５２を備えていて、冷蔵室４０の背面を構成する冷気を循環させるダクト（図示せず）などに固定されたカンチレバー式の固定具５３を用いて所定の位置に棚５２を固定できるよう構成されている。また、室内下部には低温室５４を設けている。低温室５４は収納容器５４ａを備えて、主として肉、魚介類などの生鮮食料品を冷蔵室以下の温度帯（例えば、０℃のチルド）で貯蔵する。そして、また、上から順に冷蔵スライド室３４、製氷室３３、冷凍スライド室３５を全て引出し扉３４ａ、３３ａ、３５ａを備える左区画３１は、上から順に冷蔵室４０、野菜室４１、冷凍室４２を備える右区画３２よりも幅が小さくなるよう構成されていることが望ましい。
【００３１】
以上のように構成された冷蔵庫において、以下その動作について説明する。
【００３２】
左区画３１の上方に設けた冷蔵スライド室３４は区画壁の有しない側方に隣接した冷蔵室４０と同じ約３℃程度で冷却されている。また、その下方に設けた製氷室３３は約−１８℃に冷却維持され、冷凍スライド室３５と冷凍室４２は約−１８℃に冷却維持され、野菜室４１は約５℃程度で冷却維持される。
【００３３】
そして、使用者が食品などの収納物を冷蔵庫内に貯蔵しようとするとき、雑多な種類や収納量の多い惣菜や加工食品などの冷蔵食品は約３℃の冷蔵室４０に、肉類、魚介類などの生鮮食品は約０℃の低温室５４に、野菜や果物などは約５℃の野菜室４１に、ボトルやパックなどの飲料や調味料、小物、卵などは約３℃のボトルを主に収納する冷蔵室スライド室３４に、冷凍食品やホームフリージング用の食品は約−１８℃の冷凍室４２に、背の高い冷凍食品やペットボトル等の食品は約−１８℃の冷凍スライド室３５にと各収納物の貯蔵に適した温度環境に区分管理され、それぞれの保存性が最適化された状態で貯蔵管理が行なえる。
【００３４】
使用頻度の高い冷蔵スライド室３４を冷蔵庫本体３０の上部に配置することで、従来冷蔵室４０の扉棚に収納されていたペットボトル、ビン類、牛乳パックなどの収納物を取り込むことができ、更に大量に収納することができるとともに、引出し扉３４ａを構成することで、目線から若干下側に位置する重量物のペットボトルの出し入れ性を向上することができる。また、使用頻度の高い製氷室３３を冷蔵庫本体３０の中央付近に配置し、引出し扉３３ａを構成することで、氷の取り出しを立ったままの楽な姿勢で行うことができる。下方に設置した冷凍スライド室３５も引出し扉３５ａを構成することで、奥の収納物が引き出せて簡単に取り出せることができる。
【００３５】
このように、冷蔵庫本体３０の左区画３１の全高を引出し扉３３ａ、３４ａ、３５ａで構成し、右区画３２には大容量を収納できる回転扉を備えた冷蔵室４０、野菜室４１、冷凍室４２を構成することで、使用形態や使用頻度に応じた使い勝手の向上が図れるレイアウトを提供することが可能となり、また、上下方向で１つの区画（ライン）にし、幅が冷蔵室４０よりも小さく抑えられていることで、人の腰よりも高い位置にある冷蔵スライド室３４の引出し扉３４ａを引き出したときにでも圧迫感がなく、冷蔵室４０側との容量バランスがとれてデザイン的にも向上する。
【００３６】
さらに、製氷室３３は独立した引出し扉３３ａを備えており、氷を収納容器の上面からすくい出す動作をするのに、腰をかがめず楽な姿勢で取り出しができると同時に、他室からの臭い移りを防止しキレイな氷を提供することができる。
【００３７】
また、容量の大きい冷蔵室４０は回転扉４０ａを設けているため、室内の全体が正面で見渡せて収納物の出し入れがしやすい。野菜室４１は使いやすい高さ位置で引出し扉４１ａを設けているため、立ち姿勢のままで収納容器４１ｂを手前に引き出して上から覗き込んで出し入れができ、重い野菜（キャベツ、白菜、大根）なども持ち上げることなくスムーズに出し入れができる。
【００３８】
また、冷凍室スライド室３５の高さを、隣接する冷凍室４２の高さよりも高くすることで、背の高いペットボトルやアイススティック、食パンなどを冷凍室スライド室３５へ収納し、比較的おおきな冷凍食品等を冷凍室４２に収納することで、冷凍温度帯の貯蔵室において使い分け区分収納ができる。
【００３９】
このように、収納物の用途に応じて貯蔵室をそれぞれ独立させることで、使用形態に応じた区分収納ができるとともに、必要に応じた扉のみの開閉が行われ、使用者の開閉の負担や扉開閉による温度上昇が低減され、省エネにも繋がる。
【００４０】
（実施の形態２）
図５は本発明の実施の形態２における冷蔵庫の扉を除いた断熱箱体の正面図である。
【００４１】
図５に示すように、冷蔵庫本体の貯蔵室側を構成する断熱箱体４６は、上述の実施の形態１の冷蔵庫本体３０の貯蔵室側を構成する断熱箱体３０ａに対して、上部の貯蔵区画をさらに左右の区画に区画する区画壁４７を設けている。
【００４２】
実施の形態１においては、左右区画を同様の温度帯として左右区画を区画するこのような区画壁４７を設けず、収納容量を増大させると同時に、扉を開けたときの見た目の広々感を提供することができたが、本実施の形態においては、敢えて左右区画間に区画壁４７を設けることによって左右区画を異なる温度帯の室とすることができ、貯蔵形態のバリエーションを拡げることが期待できる。また、区画壁４７を設けることにより、扉と断熱箱体間及び左右扉相互間のシール性を安定的に確保する製造品質面での実益を期待することも可能である。
【産業上の利用可能性】
【００４３】
以上のように、本発明にかかる冷蔵庫は、片側サイドに引出し扉を構成し、製氷室を中央付近に配置することで、奥にある収納物の出し入れ性を向上するとともに、目的に応じた区分収納及び使用頻度に応じたレイアウト構成にすることが可能となるので、同様の引出し扉を構成する冷蔵庫や収納器具等にも適用できる。
【図面の簡単な説明】
【００４４】
【図１】本発明の実施の形態１における冷蔵庫の正面図
【図２】同実施の形態における冷蔵庫の左区画の扉を開けた状態の斜視図
【図３】同実施の形態における冷蔵庫の右区画の扉を開けた状態の斜視図
【図４】同実施の形態における冷蔵庫の扉を除いた断熱箱体の正面図
【図５】本発明の実施の形態２における冷蔵庫の扉を除いた断熱箱体の正面図
【図６】従来の冷蔵庫の正面図
【図７】従来の冷蔵庫の扉を開けた状態の斜視図
【符号の説明】
【００４５】
３０  冷蔵庫本体
３１  左区画
３２  右区画
３３  製氷室
３３ａ  引出し扉
３４  冷蔵スライド室
３４ａ  引出し扉
３５  冷凍スライド室
３５ａ  引出し扉
４０  冷蔵室
４０ａ  回転扉
４２  冷凍室
４２ａ  引出し扉
【図１】
2006234223.tif 000003
【図２】
2006234223.tif 000004
【図３】
2006234223.tif 000005
【図４】
2006234223.tif 000006
【図５】
2006234223.tif 000007
【図６】
2006234223.tif 000008
【図７】
2006234223.tif 000009